(57)【要約】【課題】本発明はトイレットペーパーケースの装飾品を開示した。    【解決手段】外殻主体を含み、前記外殻主体の中には前方へ開口した貯蔵溝が設置され、前記貯蔵溝の下側壁には底溝が設置され、前記貯蔵溝の中には二つのトイレットペーパーケースがスライドできるように連結され、前記トイレットペーパーケースの中にはそれぞれトイレットペーパーを固定できる固定装置が設置され、本装置はきれいな装飾品が設置され、トイレの快適さを向上させ、同時にトイレットペーパーを出すことと切ることができ、トイレを使用する時に便利を与え、本装置にトイレットペーパーを二個置き、使用する時にトイレットペーパーがなくなることを避ける。【選択図】図１
2020189072.tif 000002
【特許請求の範囲】
【請求項１】
正面視で、外殻主体を含み、前記外殻主体の中には前方へ開口した貯蔵溝が設置され、前記貯蔵溝の下側壁には底溝が設置され、前記貯蔵溝の中には二つのトイレットペーパーケースがスライドできるように連結され、前記トイレットペーパーケースの中にはそれぞれトイレットペーパーを固定できる固定装置が設置され、前記貯蔵溝の左右側壁には開口溝が対称的に設置され、前記開口溝の上側にはそれぞれベベルギヤ溝が設置され、前記ベベルギヤ溝の間には動力チャンバが設置され、前記動力チャンバの左右両側には連動空間が対称的に設置され、前記外殻主体の上側にはベースが設置され、前記ベースの上側面には装飾品が固定的に設置され、前記装飾品の中には装飾品溝が設置され、前記装飾品溝の前後側壁には回転軸が回転できるように連結され、前記回転軸の後側には第一ベベルギヤが固定的に設置され、前記回転軸の前側には棒が固定的に設置され、前記動力チャンバの上下側壁には貫通軸が回転できるように連結され、前記貫通軸が上方へ伸びて前記装飾品溝の中に入っており、且つ前記装飾品溝の下側壁と回転できるように連結され、前記貫通軸の上側にはスライド軸がスライドできるように連結され、前記スライド軸と前記貫通軸との間には復帰ばねが連結され、前記スライド軸の上側には前記第一ベベルギヤと噛み合うことができる第二ベベルギヤが固定的に設置され、前記動力チャンバの上下側壁には支持ロッドが左右対称的に設置され、上下側壁の前記支持ロッドにはそれぞれ第三ベベルギヤが設置され、前記第三ベベルギヤの中には環状溝が設置され、前記環状溝が前記支持ロッドとスライドできるように連結され、前記第三ベベルギヤのインナリングはラチェットギヤ機構であり、二つの前記ラチェットギヤの向きが逆であり、前記貫通軸が順方向に回転する時に上側の前記第三ベベルギヤを連動させて回転させ、前記貫通軸が逆方向に回転する時に下側の前記第三ベベルギヤを連動させて回転させ、前記動力チャンバの左右側壁にはベベルギヤ軸が対称的に回転できるように連結され、前記ベベルギヤ軸の片側にはそれぞれ前記第三ベベルギヤと噛み合っている第四ベベルギヤが固定的に設置され、前記ベベルギヤ軸のもう一つの側が前記ベベルギヤ溝の中に伸びており、前記ベベルギヤ軸のもう一つの側には第五ベベルギヤが固定的に設置され、前記ベベルギヤ溝の上側壁と前記開口溝の下側壁には縦軸が回転できるように連結され、前記縦軸の上下側には第六ベベルギヤが対称的に固定的に設置され、上側の前記第六ベベルギヤが前記第五ベベルギヤと噛み合っており、前記ベースの下側面にはラックロッドが左右対称的に固定的に設置され、前記ベースと前記外殻主体との間には連結ばねが連結され、前記ラックロッドの下側が前記連動空間の中に入っており、且つ前記外殻主体の上側面と前記連動空間の上側壁とスライドできるように連結され、前記連動空間の前後側壁には連結軸が回転できるように連結され、前記連結軸には前記ラックロッドと噛み合っている小ギヤが固定的に設置され、前記連結軸の後側にはまた巻き付き輪が固定的に設置され、前記連動空間の側壁にはひも溝が対称的に設置され、前記ひも溝の側壁にはヒンジ連結スライド溝が設置され、前記ヒンジ連結スライド溝の側壁には駆動チャンバが設置され、前記駆動チャンバと前記ヒンジ連結スライド溝との間には切断装置が設置され、前記切断装置はトイレットペーパーを切ることができることを特徴とするトイレットペーパーケースの装飾品。
【請求項２】
前記固定装置は前記トイレットペーパーケースの中に設置された回転チャンバを含み、前記回転チャンバの左右側壁には横軸が対称的に回転できるように連結され、前記横軸の片側が前記回転チャンバの側壁を貫通しており、且つ前記トイレットペーパーケースと回転できるように連結され、前記横軸の片側には前記第六ベベルギヤと噛み合うことができる第七ベベルギヤが固定的に設置され、前記横軸のもう一つの側には連結ブロックが固定的に設置され、前記連結ブロックには六つの固定スライド溝が上下対称的に設置され、前記固定スライド溝の中には固定ブロックがスライドできうように連結され、前記固定ブロックと前記固定スライド溝との間には固定ばねが連結され、前記回転チャンバの下側にはトイレットペーパーを出すトイレットペーパー出し溝が設置され、これにより前記トイレットペーパーケースを引き出すことを特徴とする請求項１に記載のトイレットペーパーケースの装飾品。
【請求項３】
前記切断装置は前記ヒンジ連結スライド溝の中に装着されたヒンジ連結ブロックを含み、前記ヒンジ連結ブロックと前記巻き付き輪との間にはひもが連結され、前記ヒンジ連結ブロックには短ロッドがヒンジにより連結され、前記短ロッドには刃物台がヒンジにより連結され、前記刃物台が刃物台スライド溝とスライドできるように連結され、前記刃物台スライド溝の前側面にはブレードが固定的に設置されていることを特徴とする請求項１に記載のトイレットペーパーケースの装飾品。
【発明の詳細な説明】
【技術分野】
【０００１】
本発明は日用品分野を取り上げて、具体的にはトイレットペーパーケースの装飾品である。
【背景技術】
【０００２】
家のトイレで、トイレットペーパーを置くケースは、デザインが比較的に普通であり、すばらしい飾る効果がなく、同時にトイレットペーパーを使い切る問題もよくあり、これにより気まずい場面になり、しかも現有のトイレットペーパーケースが自動的にトイレットペーパーを出す機能とトイレットペーパーを切る機能を有しない。
【先行技術文献】
【特許文献】
【０００３】
【特許文献１】中国特許出願公開第１０６３３８９０６号明細書
【発明の概要】
【発明が解決しようとする課題】
【０００４】
本発明はトイレットペーパーケースの装飾品を提供し、上記背景技術において提出された問題を解決することを目的とする。
【課題を解決するための手段】
【０００５】
上記の目的を実現するために、本発明は以下の技術プランを提供する：トイレットペーパーケースの装飾品は外殻主体を含み、前記外殻主体の中には前方へ開口した貯蔵溝が設置され、前記貯蔵溝の下側壁には底溝が設置され、前記貯蔵溝の中には二つのトイレットペーパーケースがスライドできるように連結され、前記トイレットペーパーケースの中にはそれぞれトイレットペーパーを固定できる固定装置が設置され、前記貯蔵溝の左右側壁には開口溝が対称的に設置され、前記開口溝の上側にはそれぞれベベルギヤ溝が設置され、前記ベベルギヤ溝の間には動力チャンバが設置され、前記動力チャンバの左右両側には連動空間が対称的に設置され、前記外殻主体の上側にはベースが設置され、前記ベースの上側面には装飾品が固定的に設置され、前記装飾品の中には装飾品溝が設置され、前記装飾品溝の前後側壁には回転軸が回転できるように連結され、前記回転軸の後側には第一ベベルギヤが固定的に設置され、前記回転軸の前側には棒が固定的に設置され、前記動力チャンバの上下側壁には貫通軸が回転できるように連結され、前記貫通軸が上方へ伸びて前記装飾品溝の中に入っており、且つ前記装飾品溝の下側壁と回転できるように連結され、前記貫通軸の上側にはスライド軸がスライドできるように連結され、前記スライド軸と前記貫通軸との間には復帰ばねが連結され、前記スライド軸の上側には前記第一ベベルギヤと噛み合うことができる第二ベベルギヤが固定的に設置され、前記動力チャンバの上下側壁には支持ロッドが左右対称的に設置され、上下側壁の前記支持ロッドにはそれぞれ第三ベベルギヤが設置され、前記第三ベベルギヤの中には環状溝が設置され、前記環状溝が前記支持ロッドとスライドできるように連結され、前記第三ベベルギヤのインナリングはラチェットギヤ機構であり、二つの前記ラチェットギヤの向きが逆であり、前記貫通軸が順方向に回転する時に上側の前記第三ベベルギヤを連動させて回転させ、前記貫通軸が逆方向に回転する時に下側の前記第三ベベルギヤを連動させて回転させ、前記動力チャンバの左右側壁にはベベルギヤ軸が対称的に回転できるように連結され、前記ベベルギヤ軸の片側にはそれぞれ前記第三ベベルギヤと噛み合っている第四ベベルギヤが固定的に設置され、前記ベベルギヤ軸のもう一つの側が前記ベベルギヤ溝の中に伸びており、前記ベベルギヤ軸のもう一つの側には第五ベベルギヤが固定的に設置され、前記ベベルギヤ溝の上側壁と前記開口溝の下側壁には縦軸が回転できるように連結され、前記縦軸の上下側には第六ベベルギヤが対称的に固定的に設置され、上側の前記第六ベベルギヤが前記第五ベベルギヤと噛み合っており、前記ベースの下側面にはラックロッドが左右対称的に固定的に設置され、前記ベースと前記外殻主体との間には連結ばねが連結され、前記ラックロッドの下側が前記連動空間の中に入っており、且つ前記外殻主体の上側面と前記連動空間の上側壁とスライドできるように連結され、前記連動空間の前後側壁には連結軸が回転できるように連結され、前記連結軸には前記ラックロッドと噛み合っている小ギヤが固定的に設置され、前記連結軸の後側にはまた巻き付き輪が固定的に設置され、前記連動空間の側壁にはひも溝が対称的に設置され、前記ひも溝の側壁にはヒンジ連結スライド溝が設置され、前記ヒンジ連結スライド溝の側壁には駆動チャンバが設置され、前記駆動チャンバと前記ヒンジ連結スライド溝との間には切断装置が設置され、前記切断装置はトイレットペーパーを切ることができる。
【０００６】
好ましくは、前記固定装置は前記トイレットペーパーケースの中に設置された回転チャンバを含み、前記回転チャンバの左右側壁には横軸が対称的に回転できるように連結され、前記横軸の片側が前記回転チャンバの側壁を貫通しており、且つ前記トイレットペーパーケースと回転できるように連結され、前記横軸の片側には前記第六ベベルギヤと噛み合うことができる第七ベベルギヤが固定的に設置され、前記横軸のもう一つの側には連結ブロックが固定的に設置され、前記連結ブロックには六つの固定スライド溝が上下対称的に設置され、前記固定スライド溝の中には固定ブロックがスライドできうように連結され、前記固定ブロックと前記固定スライド溝との間には固定ばねが連結され、前記回転チャンバの下側にはトイレットペーパーを出すトイレットペーパー出し溝が設置され、これにより前記トイレットペーパーケースを引き出す。
【０００７】
好ましくは、前記切断装置は前記ヒンジ連結スライド溝の中に装着されたヒンジ連結ブロックを含み、前記ヒンジ連結ブロックと前記巻き付き輪との間にはひもが連結され、前記ヒンジ連結ブロックには短ロッドがヒンジにより連結され、前記短ロッドには刃物台がヒンジにより連結され、前記刃物台が刃物台スライド溝とスライドできるように連結され、前記刃物台スライド溝の前側面にはブレードが固定的に設置されている。
【発明の効果】
【０００８】
本発明の有益効果は：本装置はきれいな装飾品が設置され、トイレの快適さを向上させ、同時にトイレットペーパーを出すことと切ることができ、トイレを使用する時に便利を与え、本装置にトイレットペーパーを二個置き、使用する時にトイレットペーパーがなくなることを避ける。
【図面の簡単な説明】
【０００９】
下記に図１〜５をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【００１０】
【図１】図１は本発明のトイレットペーパーケースの装飾品の全体全断面の正面構成模式図
【図２】図２は本発明の図１のＡところの局部拡大図
【図３】図３は本発明の図１のトイレットペーパーケースの内部構成の上面図
【図４】図４は本発明の図１の装飾品の内部の構成模式図
【図５】図５は本発明の図１のＢ−Ｂ方向の上面図
【発明を実施するための形態】
【００１１】
本発明書に開示した全ての特徴、或いは開示した全ての方法、過程中のステップは、互いに排斥する特徴或いはステップ以外に、いかなる方式で組み合わせることができる。
【００１２】
本発明書（いかなる特許請求の範囲、要約書、及び図面）の中に開示した全ての特徴は、特別な叙述がない限り、そのほかの同等或いは類似する目的を持つ代替特徴に取り替えられる。即ち、特別な叙述がない限り、全ての特徴はただ一連の同等或いは類似する特徴の中の一つの例だけである。    
【００１３】
図１〜５を参照し、本発明の実施例は：トイレットペーパーケースの装飾品であり、トイレットペーパーケースの装飾品は外殻主体２１を含み、前記外殻主体２１の中には前方へ開口した貯蔵溝６７が設置され、前記貯蔵溝６７の下側壁には底溝７２が設置され、前記貯蔵溝６７の中には二つのトイレットペーパーケース４８がスライドできるように連結され、前記トイレットペーパーケース４８の中にはそれぞれトイレットペーパーを固定できる固定装置１０１が設置され、前記貯蔵溝６７の左右側壁には開口溝３２が対称的に設置され、前記開口溝３２の上側にはそれぞれベベルギヤ溝２８が設置され、前記ベベルギヤ溝２８の間には動力チャンバ６０が設置され、前記動力チャンバ６０の左右両側には連動空間５５が対称的に設置され、前記外殻主体２１の上側にはベース５０が設置され、前記ベース５０の上側面には装飾品２３が固定的に設置され、前記装飾品２３の中には装飾品溝６５が設置され、前記装飾品溝６５の前後側壁には回転軸２２が回転できるように連結され、前記回転軸２２の後側には第一ベベルギヤ６４が固定的に設置され、前記回転軸２２の前側には棒２４が固定的に設置され、前記動力チャンバ６０の上下側壁には貫通軸４９が回転できるように連結され、前記貫通軸４９が上方へ伸びて前記装飾品溝６５の中に入っており、且つ前記装飾品溝６５の下側壁と回転できるように連結され、前記貫通軸４９の上側にはスライド軸６２がスライドできるように連結され、前記スライド軸６２と前記貫通軸４９との間には復帰ばね６１が連結され、前記スライド軸６２の上側には前記第一ベベルギヤ６４と噛み合うことができる第二ベベルギヤ６３が固定的に設置され、前記動力チャンバ６０の上下側壁には支持ロッド５８が左右対称的に設置され、上下側壁の前記支持ロッド５８にはそれぞれ第三ベベルギヤ６９が設置され、前記第三ベベルギヤ６９の中には環状溝５９が設置され、前記環状溝５９が前記支持ロッド５８とスライドできるように連結され、前記第三ベベルギヤ６９のインナリングはラチェットギヤ機構７０であり、二つの前記ラチェットギヤ７０の向きが逆であり、前記貫通軸４９が順方向に回転する時に上側の前記第三ベベルギヤ６９を連動させて回転させ、前記貫通軸４９が逆方向に回転する時に下側の前記第三ベベルギヤ６９を連動させて回転させ、前記動力チャンバ６０の左右側壁にはベベルギヤ軸５６が対称的に回転できるように連結され、前記ベベルギヤ軸５６の片側にはそれぞれ前記第三ベベルギヤ６９と噛み合っている第四ベベルギヤ５７が固定的に設置され、前記ベベルギヤ軸５６のもう一つの側が前記ベベルギヤ溝２８の中に伸びており、前記ベベルギヤ軸５６のもう一つの側には第五ベベルギヤ２６が固定的に設置され、前記ベベルギヤ溝２８の上側壁と前記開口溝３２の下側壁には縦軸３０が回転できるように連結され、前記縦軸３０の上下側には第六ベベルギヤ２９が対称的に固定的に設置され、上側の前記第六ベベルギヤ２９が前記第五ベベルギヤ２６と噛み合っており、前記ベース５０の下側面にはラックロッド５１が左右対称的に固定的に設置され、前記ベース５０と前記外殻主体２１との間には連結ばね５２が連結され、前記ラックロッド５１の下側が前記連動空間５５の中に入っており、且つ前記外殻主体２１の上側面と前記連動空間５５の上側壁とスライドできるように連結され、前記連動空間５５の前後側壁には連結軸５３が回転できるように連結され、前記連結軸５３には前記ラックロッド５１と噛み合っている小ギヤ５４が固定的に設置され、前記連結軸５３の後側にはまた巻き付き輪３１が固定的に設置され、前記連動空間５５の側壁にはひも溝２５が対称的に設置され、前記ひも溝２５の側壁にはヒンジ連結スライド溝３４が設置され、前記ヒンジ連結スライド溝３４の側壁には駆動チャンバ３５が設置され、前記駆動チャンバ３５と前記ヒンジ連結スライド溝３４との間には切断装置１０２が設置され、前記切断装置１０２はトイレットペーパーを切ることができる。
【００１４】
前記固定装置１０１は前記トイレットペーパーケース４８の中に設置された回転チャンバ４２を含み、前記回転チャンバ４２の左右側壁には横軸４７が対称的に回転できるように連結され、前記横軸４７の片側が前記回転チャンバ４２の側壁を貫通しており、且つ前記トイレットペーパーケース４８と回転できるように連結され、前記横軸４７の片側には前記第六ベベルギヤ２９と噛み合うことができる第七ベベルギヤ３３が固定的に設置され、前記横軸４７のもう一つの側には連結ブロック４６が固定的に設置され、前記連結ブロック４６には六つの固定スライド溝４４が上下対称的に設置され、前記固定スライド溝４４の中には固定ブロック４３がスライドできうように連結され、前記固定ブロック４３と前記固定スライド溝４４との間には固定ばね４５が連結され、前記回転チャンバ４２の下側にはトイレットペーパーを出すトイレットペーパー出し溝４１が設置され、これにより前記トイレットペーパーケース４８を引き出し、トイレットペーパーを前記連結ブロック４６に挿し、前記固定ブロック４３によりトイレットペーパーを固定し、そして前記トイレットペーパーケース４８を前記貯蔵溝６７の中に挿し、トイレットペーパーの一部分を前記トイレットペーパー出し溝４１と前記底溝７２から少し引き出し、前記第七ベベルギヤ３３が回転する時に前記横軸４７と前記連結ブロック４６とを連動させて回転させ、これによりトイレットペーパーを送り出し、その作用はトイレットペーパーを固定することとトイレットペーパーを送ることである。
【００１５】
前記切断装置１０２は前記ヒンジ連結スライド溝３４の中に装着されたヒンジ連結ブロック３６を含み、前記ヒンジ連結ブロック３６と前記巻き付き輪３１との間にはひも２７が連結され、前記ヒンジ連結ブロック３６には短ロッド３７がヒンジにより連結され、前記短ロッド３７には刃物台３９がヒンジにより連結され、前記刃物台３９が刃物台スライド溝４０とスライドできるように連結され、前記刃物台スライド溝４０の前側面にはブレード３８が固定的に設置され、前記装飾品２３を下方へ押す時、これにより前記ラックロッド５１を連動させて下方へ移動させ、これにより前記小ギヤ５４と、前記連結軸５３と、前記巻き付き輪３１とを連動させて回転させ、これにより二つの前記ヒンジ連結ブロック３６を両側へ引き動かし、これにより前記短ロッド３７により前記刃物台３９と前記ブレード３８とを連動させて前方へ運動させ、トイレットペーパーを切断し、その作用はトイレットペーパーを切ることである。
【００１６】
使用する時、まずトイレットペーパーを連結ブロック４６に挿し、固定ブロック４３によりトイレットペーパーを固定し、そしてトイレットペーパーケース４８を貯蔵溝６７の中に挿し、これにより第七ベベルギヤ３３と第六ベベルギヤ２９とが噛み合い、次にトイレットペーパーの一部分をトイレットペーパー出し溝４１と底溝７２から少し引き出し、トイレットペーパーを取り出す時、手で棒２４を回転させ、これにより回転軸２２と、第一ベベルギヤ６４と、第二ベベルギヤ６３と、スライド軸６２と、貫通軸４９と、第三ベベルギヤ６９と、第四ベベルギヤ５７と、ベベルギヤ軸５６と、第五ベベルギヤ２６と、第六ベベルギヤ２９と、縦軸３０と、第七ベベルギヤ３３と、横軸４７と、連結ブロック４６とを連動させて回転させ、これによりトイレットペーパーを送り出し、装飾品２３を下方へ押し、これによりラックロッド５１を連動させて下方へ移動させ、これにより小ギヤ５４と、連結軸５３と、巻き付き輪３１とを連動させて回転させ、これにより二つのヒンジ連結ブロック３６を両側へ引き動かし、これにより短ロッド３７により刃物台３９とブレード３８とを連動させて前方へ運動させ、トイレットペーパーを切断し、トイレットペーパーがなくなる時、棒２４を逆方向へ回転させ、もう一つの側の連結ブロック４６がトイレットペーパーを送り出す。
【００１７】
本発明の有益効果は：本装置はきれいな装飾品が設置され、トイレの快適さを向上させ、同時にトイレットペーパーを出すことと切ることができ、トイレを使用する時に便利を与え、本装置にトイレットペーパーを二個置き、使用する時にトイレットペーパーがなくなることを避ける。
【００１８】
以上に述べたのはただ本発明の具体的な実施方式で、しかし本発明の保護範囲はここに限らないである。全部の創造的な労働を通じなく思いついた変化と取替は本発明の保護範囲にカバーされる。だから本発明の保護範囲は権利要求書が限定される保護範囲を標準とする。
【図１】
2020189072.tif 000003
【図２】
2020189072.tif 000004
【図３】
2020189072.tif 000005
【図４】
2020189072.tif 000006
【図５】
2020189072.tif 000007
【手続補正書】
【提出日】令和1年12月11日(2019.12.11)
【手続補正１】
【補正対象書類名】特許請求の範囲
【補正対象項目名】全文
【補正方法】変更
【補正の内容】
【特許請求の範囲】
【請求項１】
正面視で、外殻主体を含み、前記外殻主体の中には前方へ開口した貯蔵溝が設置され、前記貯蔵溝の下側壁には底溝が設置され、前記貯蔵溝の中には二つのトイレットペーパーケースがスライドできるように連結され、前記トイレットペーパーケースの中にはそれぞれトイレットペーパーを固定できる固定装置が設置され、前記貯蔵溝の左右側壁には開口溝が対称的に設置され、前記開口溝の上側にはそれぞれベベルギヤ溝が設置され、前記ベベルギヤ溝の間には動力チャンバが設置され、前記動力チャンバの左右両側には連動空間が対称的に設置され、前記外殻主体の上側にはベースが設置され、前記ベースの上側面には装飾品が固定的に設置され、前記装飾品の中には装飾品溝が設置され、前記装飾品溝の前後側壁には回転軸が回転できるように連結され、前記回転軸の後側には第一ベベルギヤが固定的に設置され、前記回転軸の前側には棒が固定的に設置され、前記動力チャンバの上下側壁には貫通軸が回転できるように連結され、前記貫通軸が上方へ伸びて前記装飾品溝の中に入っており、且つ前記装飾品溝の下側壁と回転できるように連結され、前記貫通軸の上側にはスライド軸がスライドできるように連結され、前記スライド軸と前記貫通軸との間には復帰ばねが連結され、前記スライド軸の上側には前記第一ベベルギヤと噛み合うことができる第二ベベルギヤが固定的に設置され、前記動力チャンバの上下側壁には支持ロッドが左右対称的に設置され、上下側壁の前記支持ロッドにはそれぞれ第三ベベルギヤが設置され、前記第三ベベルギヤの中には環状溝が設置され、前記環状溝が前記支持ロッドとスライドできるように連結され、前記第三ベベルギヤのインナリングはラチェットギヤ機構であり、二つの前記ラチェットギヤの向きが逆であり、前記貫通軸が順方向に回転する時に上側の前記第三ベベルギヤを連動させて回転させ、前記貫通軸が逆方向に回転する時に下側の前記第三ベベルギヤを連動させて回転させ、前記動力チャンバの左右側壁にはベベルギヤ軸が対称的に回転できるように連結され、前記ベベルギヤ軸の片側にはそれぞれ前記第三ベベルギヤと噛み合っている第四ベベルギヤが固定的に設置され、前記ベベルギヤ軸のもう一つの側が前記ベベルギヤ溝の中に伸びており、前記ベベルギヤ軸のもう一つの側には第五ベベルギヤが固定的に設置され、前記ベベルギヤ溝の上側壁と前記開口溝の下側壁には縦軸が回転できるように連結され、前記縦軸の上下側には第六ベベルギヤが対称的に固定的に設置され、上側の前記第六ベベルギヤが前記第五ベベルギヤと噛み合っており、前記ベースの下側面にはラックロッドが左右対称的に固定的に設置され、前記ベースと前記外殻主体との間には連結ばねが連結され、前記ラックロッドの下側が前記連動空間の中に入っており、且つ前記外殻主体の上側面と前記連動空間の上側壁とスライドできるように連結され、前記連動空間の前後側壁には連結軸が回転できるように連結され、前記連結軸には前記ラックロッドと噛み合っている小ギヤが固定的に設置され、前記連結軸の後側にはまた巻き付き輪が固定的に設置され、前記連動空間の側壁にはひも溝が対称的に設置され、前記ひも溝の側壁にはヒンジ連結スライド溝が設置され、前記ヒンジ連結スライド溝の側壁には駆動チャンバが設置され、前記駆動チャンバと前記ヒンジ連結スライド溝との間には切断装置が設置され、前記切断装置はトイレットペーパーを切ることができ、
前記固定装置は前記トイレットペーパーケースの中に設置された回転チャンバを含み、前記回転チャンバの左右側壁には横軸が対称的に回転できるように連結され、前記横軸の片側が前記回転チャンバの側壁を貫通しており、且つ前記トイレットペーパーケースと回転できるように連結され、前記横軸の片側には前記第六ベベルギヤと噛み合うことができる第七ベベルギヤが固定的に設置され、前記横軸のもう一つの側には連結ブロックが固定的に設置され、前記連結ブロックには六つの固定スライド溝が上下対称的に設置され、前記固定スライド溝の中には固定ブロックがスライドできうように連結され、前記固定ブロックと前記固定スライド溝との間には固定ばねが連結され、前記回転チャンバの下側にはトイレットペーパーを出すトイレットペーパー出し溝が設置され、これにより前記トイレットペーパーケースを引き出し、
前記切断装置は前記ヒンジ連結スライド溝の中に装着されたヒンジ連結ブロックを含み、前記ヒンジ連結ブロックと前記巻き付き輪との間にはひもが連結され、前記ヒンジ連結ブロックには短ロッドがヒンジにより連結され、前記短ロッドには刃物台がヒンジにより連結され、前記刃物台が刃物台スライド溝とスライドできるように連結され、前記刃物台スライド溝の前側面にはブレードが固定的に設置されていることを特徴とする自動的にトイレットペーパーを出す機能とトイレットペーパーを切る機能と装飾品を有する装置。
【手続補正２】
【補正対象書類名】明細書
【補正対象項目名】全文
【補正方法】変更
【補正の内容】
【発明の詳細な説明】
【技術分野】
【０００１】
本発明は日用品分野を取り上げて、具体的には自動的にトイレットペーパーを出す機能とトイレットペーパーを切る機能と装飾品を有する装置である。
【背景技術】
【０００２】
家のトイレで、トイレットペーパーを置くケースは、デザインが比較的に普通であり、すばらしい飾る効果がなく、同時にトイレットペーパーを使い切る問題もよくあり、これにより気まずい場面になり、しかも現有のトイレットペーパーケースが自動的にトイレットペーパーを出す機能とトイレットペーパーを切る機能を有しない。
【先行技術文献】
【特許文献】
【０００３】
【特許文献１】中国特許出願公開第１０６３３８９０６号明細書
【発明の概要】
【発明が解決しようとする課題】
【０００４】
本発明は自動的にトイレットペーパーを出す機能とトイレットペーパーを切る機能と装飾品を有する装置を提供し、上記背景技術において提出された問題を解決することを目的とする。
【課題を解決するための手段】
【０００５】
上記の目的を実現するために、本発明は以下の技術プランを提供する：自動的にトイレットペーパーを出す機能とトイレットペーパーを切る機能と装飾品を有する装置は外殻主体を含み、前記外殻主体の中には前方へ開口した貯蔵溝が設置され、前記貯蔵溝の下側壁には底溝が設置され、前記貯蔵溝の中には二つのトイレットペーパーケースがスライドできるように連結され、前記トイレットペーパーケースの中にはそれぞれトイレットペーパーを固定できる固定装置が設置され、前記貯蔵溝の左右側壁には開口溝が対称的に設置され、前記開口溝の上側にはそれぞれベベルギヤ溝が設置され、前記ベベルギヤ溝の間には動力チャンバが設置され、前記動力チャンバの左右両側には連動空間が対称的に設置され、前記外殻主体の上側にはベースが設置され、前記ベースの上側面には装飾品が固定的に設置され、前記装飾品の中には装飾品溝が設置され、前記装飾品溝の前後側壁には回転軸が回転できるように連結され、前記回転軸の後側には第一ベベルギヤが固定的に設置され、前記回転軸の前側には棒が固定的に設置され、前記動力チャンバの上下側壁には貫通軸が回転できるように連結され、前記貫通軸が上方へ伸びて前記装飾品溝の中に入っており、且つ前記装飾品溝の下側壁と回転できるように連結され、前記貫通軸の上側にはスライド軸がスライドできるように連結され、前記スライド軸と前記貫通軸との間には復帰ばねが連結され、前記スライド軸の上側には前記第一ベベルギヤと噛み合うことができる第二ベベルギヤが固定的に設置され、前記動力チャンバの上下側壁には支持ロッドが左右対称的に設置され、上下側壁の前記支持ロッドにはそれぞれ第三ベベルギヤが設置され、前記第三ベベルギヤの中には環状溝が設置され、前記環状溝が前記支持ロッドとスライドできるように連結され、前記第三ベベルギヤのインナリングはラチェットギヤ機構であり、二つの前記ラチェットギヤの向きが逆であり、前記貫通軸が順方向に回転する時に上側の前記第三ベベルギヤを連動させて回転させ、前記貫通軸が逆方向に回転する時に下側の前記第三ベベルギヤを連動させて回転させ、前記動力チャンバの左右側壁にはベベルギヤ軸が対称的に回転できるように連結され、前記ベベルギヤ軸の片側にはそれぞれ前記第三ベベルギヤと噛み合っている第四ベベルギヤが固定的に設置され、前記ベベルギヤ軸のもう一つの側が前記ベベルギヤ溝の中に伸びており、前記ベベルギヤ軸のもう一つの側には第五ベベルギヤが固定的に設置され、前記ベベルギヤ溝の上側壁と前記開口溝の下側壁には縦軸が回転できるように連結され、前記縦軸の上下側には第六ベベルギヤが対称的に固定的に設置され、上側の前記第六ベベルギヤが前記第五ベベルギヤと噛み合っており、前記ベースの下側面にはラックロッドが左右対称的に固定的に設置され、前記ベースと前記外殻主体との間には連結ばねが連結され、前記ラックロッドの下側が前記連動空間の中に入っており、且つ前記外殻主体の上側面と前記連動空間の上側壁とスライドできるように連結され、前記連動空間の前後側壁には連結軸が回転できるように連結され、前記連結軸には前記ラックロッドと噛み合っている小ギヤが固定的に設置され、前記連結軸の後側にはまた巻き付き輪が固定的に設置され、前記連動空間の側壁にはひも溝が対称的に設置され、前記ひも溝の側壁にはヒンジ連結スライド溝が設置され、前記ヒンジ連結スライド溝の側壁には駆動チャンバが設置され、前記駆動チャンバと前記ヒンジ連結スライド溝との間には切断装置が設置され、前記切断装置はトイレットペーパーを切ることができる。
【０００６】
好ましくは、前記固定装置は前記トイレットペーパーケースの中に設置された回転チャンバを含み、前記回転チャンバの左右側壁には横軸が対称的に回転できるように連結され、前記横軸の片側が前記回転チャンバの側壁を貫通しており、且つ前記トイレットペーパーケースと回転できるように連結され、前記横軸の片側には前記第六ベベルギヤと噛み合うことができる第七ベベルギヤが固定的に設置され、前記横軸のもう一つの側には連結ブロックが固定的に設置され、前記連結ブロックには六つの固定スライド溝が上下対称的に設置され、前記固定スライド溝の中には固定ブロックがスライドできうように連結され、前記固定ブロックと前記固定スライド溝との間には固定ばねが連結され、前記回転チャンバの下側にはトイレットペーパーを出すトイレットペーパー出し溝が設置され、これにより前記トイレットペーパーケースを引き出す。
【０００７】
好ましくは、前記切断装置は前記ヒンジ連結スライド溝の中に装着されたヒンジ連結ブロックを含み、前記ヒンジ連結ブロックと前記巻き付き輪との間にはひもが連結され、前記ヒンジ連結ブロックには短ロッドがヒンジにより連結され、前記短ロッドには刃物台がヒンジにより連結され、前記刃物台が刃物台スライド溝とスライドできるように連結され、前記刃物台スライド溝の前側面にはブレードが固定的に設置されている。
【発明の効果】
【０００８】
本発明の有益効果は：本装置はきれいな装飾品が設置され、トイレの快適さを向上させ、同時にトイレットペーパーを出すことと切ることができ、トイレを使用する時に便利を与え、本装置にトイレットペーパーを二個置き、使用する時にトイレットペーパーがなくなることを避ける。
【図面の簡単な説明】
【０００９】
下記に図１〜５をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【００１０】
【図１】図１は本発明の自動的にトイレットペーパーを出す機能とトイレットペーパーを切る機能と装飾品を有する装置の全体全断面の正面構成    模式図
【図２】図２は本発明の図１のＡところの局部拡大図
【図３】図３は本発明の図１のトイレットペーパーケースの内部構成の上面図
【図４】図４は本発明の図１の装飾品の内部の構成模式図
【図５】図５は本発明の図１のＢ−Ｂ方向の上面図
【発明を実施するための形態】
【００１１】
本発明書に開示した全ての特徴、或いは開示した全ての方法、過程中のステップは、互いに排斥する特徴或いはステップ以外に、いかなる方式で組み合わせることができる。
【００１２】
本発明書（いかなる特許請求の範囲、要約書、及び図面）の中に開示した全ての特徴は、特別な叙述がない限り、そのほかの同等或いは類似する目的を持つ代替特徴に取り替えられる。即ち、特別な叙述がない限り、全ての特徴はただ一連の同等或いは類似する特徴の中の一つの例だけである。    
【００１３】
図１〜５を参照し、本発明の実施例は：自動的にトイレットペーパーを出す機能とトイレットペーパーを切る機能と装飾品を有する装置であり、トイ
レットペーパーケースの装飾品は外殻主体２１を含み、前記外殻主体２１の中には前方へ開口した貯蔵溝６７が設置され、前記貯蔵溝６７の下側壁には底溝７２が設置され、前記貯蔵溝６７の中には二つのトイレットペーパーケース４８がスライドできるように連結され、前記トイレットペーパーケース４８の中にはそれぞれトイレットペーパーを固定できる固定装置１０１が設置され、前記貯蔵溝６７の左右側壁には開口溝３２が対称的に設置され、前記開口溝３２の上側にはそれぞれベベルギヤ溝２８が設置され、前記ベベルギヤ溝２８の間には動力チャンバ６０が設置され、前記動力チャンバ６０の左右両側には連動空間５５が対称的に設置され、前記外殻主体２１の上側にはベース５０が設置され、前記ベース５０の上側面には装飾品２３が固定的に設置され、前記装飾品２３の中には装飾品溝６５が設置され、前記装飾品溝６５の前後側壁には回転軸２２が回転できるように連結され、前記回転軸２２の後側には第一ベベルギヤ６４が固定的に設置され、前記回転軸２２の前側には棒２４が固定的に設置され、前記動力チャンバ６０の上下側壁には貫通軸４９が回転できるように連結され、前記貫通軸４９が上方へ伸びて前記装飾品溝６５の中に入っており、且つ前記装飾品溝６５の下側壁と回転できるように連結され、前記貫通軸４９の上側にはスライド軸６２がスライドできるように連結され、前記スライド軸６２と前記貫通軸４９との間には復帰ばね６１が連結され、前記スライド軸６２の上側には前記第一ベベルギヤ６４と噛み合うことができる第二ベベルギヤ６３が固定的に設置され、前記動力チャンバ６０の上下側壁には支持ロッド５８が左右対称的に設置され、上下側壁の前記支持ロッド５８にはそれぞれ第三ベベルギヤ６９が設置され、前記第三ベベルギヤ６９の中には環状溝５９が設置され、前記環状溝５９が前記支持ロッド５８とスライドできるように連結され、前記第三ベベルギヤ６９のインナリングはラチェットギヤ機構７０であり、二つの前記ラチェットギヤ７０の向きが逆であり、前記貫通軸４９が順方向に回転する時に上側の前記第三ベベルギヤ６９を連動させて回転させ、前記貫通軸４９が逆方向に回転する時に下側の前記第三ベベルギヤ６９を連動させて回転させ、前記動力チャンバ６０の左右側壁にはベベルギヤ軸５６が対称的に回転できるように連結され、前記ベベルギヤ軸５６の片側にはそれぞれ前記第三ベベルギヤ６９と噛み合っている第四ベベルギヤ５７が固定的に設置され、前記ベベルギヤ軸５６のもう一つの側が前記ベベルギヤ溝２８の中に伸びており、前記ベベルギヤ軸５６のもう一つの側には第五ベベルギヤ２６が固定的に設置され、前記ベベルギヤ溝２８の上側壁と前記開口溝３２の下側壁には縦軸３０が回転できるように連結され、前記縦軸３０の上下側には第六ベベルギヤ２９が対称的に固定的に設置され、上側の前記第六ベベルギヤ２９が前記第五ベベルギヤ２６と噛み合っており、前記ベース５０の下側面にはラックロッド５１が左右対称的に固定的に設置され、前記ベース５０と前記外殻主体２１との間には連結ばね５２が連結され、前記ラックロッド５１の下側が前記連動空間５５の中に入っており、且つ前記外殻主体２１の上側面と前記連動空間５５の上側壁とスライドできるように連結され、前記連動空間５５の前後側壁には連結軸５３が回転できるように連結され、前記連結軸５３には前記ラックロッド５１と噛み合っている小ギヤ５４が固定的に設置され、前記連結軸５３の後側にはまた巻き付き輪３１が固定的に設置され、前記連動空間５５の側壁にはひも溝２５が対称的に設置され、前記ひも溝２５の側壁にはヒンジ連結スライド溝３４が設置され、前記ヒンジ連結スライド溝３４の側壁には駆動チャンバ３５が設置され、前記駆動チャンバ３５と前記ヒンジ連結スライド溝３４との間には切断装置１０２が設置され、前記切断装置１０２はトイレットペーパーを切ることができる。
【００１４】
前記固定装置１０１は前記トイレットペーパーケース４８の中に設置された回転チャンバ４２を含み、前記回転チャンバ４２の左右側壁には横軸４７が対称的に回転できるように連結され、前記横軸４７の片側が前記回転チャンバ４２の側壁を貫通しており、且つ前記トイレットペーパーケース４８と回転できるように連結され、前記横軸４７の片側には前記第六ベベルギヤ２９と噛み合うことができる第七ベベルギヤ３３が固定的に設置され、前記横軸４７のもう一つの側には連結ブロック４６が固定的に設置され、前記連結ブロック４６には六つの固定スライド溝４４が上下対称的に設置され、前記固定スライド溝４４の中には固定ブロック４３がスライドできうように連結され、前記固定ブロック４３と前記固定スライド溝４４との間には固定ばね４５が連結され、前記回転チャンバ４２の下側にはトイレットペーパーを出すトイレットペーパー出し溝４１が設置され、これにより前記トイレットペーパーケース４８を引き出し、トイレットペーパーを前記連結ブロック４６に挿し、前記固定ブロック４３によりトイレットペーパーを固定し、そして前記トイレットペーパーケース４８を前記貯蔵溝６７の中に挿し、トイレットペーパーの一部分を前記トイレットペーパー出し溝４１と前記底溝７２から少し引き出し、前記第七ベベルギヤ３３が回転する時に前記横軸４７と前記連結ブロック４６とを連動させて回転させ、これによりトイレットペーパーを送り出し、その作用はトイレットペーパーを固定することとトイレットペーパーを送ることである。
【００１５】
前記切断装置１０２は前記ヒンジ連結スライド溝３４の中に装着されたヒンジ連結ブロック３６を含み、前記ヒンジ連結ブロック３６と前記巻き付き輪３１との間にはひも２７が連結され、前記ヒンジ連結ブロック３６には短ロッド３７がヒンジにより連結され、前記短ロッド３７には刃物台３９がヒンジにより連結され、前記刃物台３９が刃物台スライド溝４０とスライドできるように連結され、前記刃物台スライド溝４０の前側面にはブレード３８が固定的に設置され、前記装飾品２３を下方へ押す時、これにより前記ラックロッド５１を連動させて下方へ移動させ、これにより前記小ギヤ５４と、前記連結軸５３と、前記巻き付き輪３１とを連動させて回転させ、これにより二つの前記ヒンジ連結ブロック３６を両側へ引き動かし、これにより前記短ロッド３７により前記刃物台３９と前記ブレード３８とを連動させて前方へ運動させ、トイレットペーパーを切断し、その作用はトイレットペーパーを切ることである。
【００１６】
使用する時、まずトイレットペーパーを連結ブロック４６に挿し、固定ブロック４３によりトイレットペーパーを固定し、そしてトイレットペーパーケース４８を貯蔵溝６７の中に挿し、これにより第七ベベルギヤ３３と第六ベベルギヤ２９とが噛み合い、次にトイレットペーパーの一部分をトイレットペーパー出し溝４１と底溝７２から少し引き出し、トイレットペーパーを取り出す時、手で棒２４を回転させ、これにより回転軸２２と、第一ベベルギヤ６４と、第二ベベルギヤ６３と、スライド軸６２と、貫通軸４９と、第三ベベルギヤ６９と、第四ベベルギヤ５７と、ベベルギヤ軸５６と、第五ベベルギヤ２６と、第六ベベルギヤ２９と、縦軸３０と、第七ベベルギヤ３３と、横軸４７と、連結ブロック４６とを連動させて回転させ、これによりトイレットペーパーを送り出し、装飾品２３を下方へ押し、これによりラックロッド５１を連動させて下方へ移動させ、これにより小ギヤ５４と、連結軸５３と、巻き付き輪３１とを連動させて回転させ、これにより二つのヒンジ連結ブロック３６を両側へ引き動かし、これにより短ロッド３７により刃物台３９とブレード３８とを連動させて前方へ運動させ、トイレットペーパーを切断し、トイレットペーパーがなくなる時、棒２４を逆方向へ回転させ、もう一つの側の連結ブロック４６がトイレットペーパーを送り出す。
【００１７】
本発明の有益効果は：本装置はきれいな装飾品が設置され、トイレの快適さを向上させ、同時にトイレットペーパーを出すことと切ることができ、トイレを使用する時に便利を与え、本装置にトイレットペーパーを二個置き、使用する時にトイレットペーパーがなくなることを避ける。
【００１８】
以上に述べたのはただ本発明の具体的な実施方式で、しかし本発明の保護範囲はここに限らないである。全部の創造的な労働を通じなく思いついた変化と取替は本発明の保護範囲にカバーされる。だから本発明の保護範囲は権利要求書が限定される保護範囲を標準とする。